(57)【要約】【課題】不便せずに片手で持ち運ぶことができ、容易に取り扱うことができる食べ物及び飲み物の容器を提供する。【解決手段】食べ物及び飲み物用容器は、上部が開放され側方に開口が設けられたメイン容器１と、メイン容器１の上部に保持されるフードカップ２と、メイン容器１の下部に保持されるドリンクカップ３とを備え、メイン容器１は上部開放部からフードカップ２を受け入れ、側方の開口からドリンクカップ３を受け入れることを特徴とする。【選択図】図１
2014104346.tif 000002
【特許請求の範囲】
【請求項１】
上部が開放され側方に開口が設けられたメイン容器と、
前記メイン容器の上部に保持されるフードカップと、
前記メイン容器の下部に保持されるドリンクカップと、を備え、
メイン容器は上部開放部からフードカップを受け入れ、側方の開口からドリンクカップを受け入れる
ことを特徴とする食べ物及び飲み物用容器。
【請求項２】
前記メイン容器はドリンクカップが脱落してしまうことを防止する係合壁を有する
ことを特徴とする請求項１に記載の食べ物及び飲み物用容器。
【請求項３】
前記フードカップは第１及び第２区画に分けられている
ことを特徴とする請求項１に記載の食べ物及び飲み物用容器。
【請求項４】
前記第１及び第２区画は互いにリッジ部により接続されている
ことを特徴とする請求項３に記載の食べ物及び飲み物用容器。
【請求項５】
上部開口と側方開口とが形成され、前記上部開口は上側からフードカップを受け入れる形に形成され、前記側方開口は側方からドリンクカップを受け入れる形に形成されている
ことを特徴とするメイン容器。
【請求項６】
上部開口と側方開口とを有するメイン容器内の上部開口から収納される形を有する
ことを特徴とするフードカップ。
【請求項７】
上部開口と側方開口とを有するメイン容器内の側方開口から収納される形を有する
ことを特徴とするドリンクカップ。
【発明の詳細な説明】
【技術分野】
【０００１】
本発明は、ドリンクとカレー、スープ、スナックなどの食べ物とを保持する容器に関し、より詳しくは食べ物とドリンクとを容易に持ち運びすることができる容器に関する。
【背景技術】
【０００２】
映画館や野球場などの様々なアミューズメント施設において、スナックやドリンクはそれぞれが独立した紙容器に入れられて販売されている。ユーザはドリンクと食べ物とを同時に買う場合、双方の手がふさがった状態で２つの紙容器を持ち運ばなければならない。映画館や野球場が込みあっているときには、両方の手が容器を持ち運ぶことや持つことに終始することとなり、特に不便となってしまう。
【０００３】
この問題を解決するために、インナーカップとアウターカップとにより構成される分割容器構造を有する２重容器が例えば特許文献１に開示されている。この特許においてインナーカップは食べ物を保持し且つアウターカップに受け止められる構造となっている。アウターカップはインナーカップが入れられた状態においてインナーカップの下方向への移動を制限して途中で止めるようになっており、インナーカップの底壁の下側に液体保持空間が形成されるようになっている。
【０００４】
また、特許文献２は、上側カップと下側カップとで構成される結合容器を開示している。上側カップと下側カップとは接続部より接続される。接続部は、下側カップの開放側から上向きに伸びたスリーブ状となっており、スリーブ内に上側カップが受け入れられることで、上側カップと下側カップとを強固に接続する構成となっている。下側カップはソフトドリンクを保持するのに用いられ、上側カップは固形スナックを保持するのに用いられる。このような結合容器によれば、ユーザは片手で結合容器を持ち他方の手が空いた状態で飲食を楽しむことができる。
【先行技術文献】
【特許文献】
【０００５】
【特許文献１】米国特許第３２８８３４４号公報
【特許文献２】米国特許第５１８００７９号公報
【発明の概要】
【発明が解決しようとする課題】
【０００６】
しかし、このような容器は、冷たいドリンクを保持することが考慮されているものの、ホットコーヒーやホットティーのような暖かいドリンクを保持することについて全く考慮されていない。つまり、従来技術ではストローを使ってソフトドリンクを飲むように設計されており、ホットコーヒーやホットティーを販売するための容器ではない。
【０００７】
また、一般的に人が暖かいドリンクを飲む際、ドリンクと空気とが混合されるように無意識のうちにドリンクの表面をすすり、これにより温かいドリンクが冷却される。一方、人はストローでホットドリンクを飲む場合、ホットドリンクが空気とほぼ混合されることなく冷却されないことから、舌を火傷してしまう可能性が高くなってしまう。
【０００８】
また、ホットドリンクがこぼれてしまうことを考慮すると、ホットドリンクは下カップに入っていることが望ましい。このような事情からすると、上下のカップは互いに分離され、ユーザが下カップからドリンクを飲む構成が望ましい。しかしながら、上カップから下カップを分離する際、上下のアクションを行う必要があることから、上カップに入っている食べ物を食べようとした場合に食べ物が落ちてしまい易い傾向にある。従って、従来技術では、カップの取り扱いの容易さは考慮されていない。
【０００９】
本発明は上記問題点を解決するものであり、不便せずに片手で持ち運ぶことができ、容易に取り扱うことができる食べ物及び飲み物の容器を提供することが本発明の目的である。
【００１０】
本発明の別の目的は、飲食を楽しむときに容器を簡易に扱うことができる食べ物や飲み物の容器を提供することである。
【課題を解決するための手段】
【００１１】
本発明の食べ物及び飲み物用容器は、上部が開放され側方に開口が設けられたメイン容器と、メイン容器の上部に保持されるフードカップと、メイン容器の下部に保持されるドリンクカップとを備え、メイン容器は上部開放部からフードカップを受け入れ、側方の開口からドリンクカップを受け入れる。
【００１２】
この食べ物及び飲み物用容器において、メイン容器はドリンクカップが脱落してしまうことを防止する係合壁を有していてもよい。
【００１３】
また、食べ物及び飲み物用容器において、フードカップは第１及び第２区画に分けられていてもよい。
【００１４】
この食べ物及び飲み物用容器において、第１及び第２区画は互いにリッジ部により接続されていてもよい。
【００１５】
本発明のメイン容器は、上部開口と側方開口とが形成され、上部開口は上側からフードカップを受け入れる形に形成され、側方開口は側方からドリンクカップを受け入れる形に形成されている。
【００１６】
本発明のフードカップは、上部開口と側方開口とを有するメイン容器内の上部開口から収納される形を有している。
【００１７】
本発明のドリンクカップは、上部開口と側方開口とを有するメイン容器内の側方開口から収納される形を有している。
【発明の効果】
【００１８】
本発明によれば、飲食を楽しむときに容器を簡易に扱うことができる食べ物や飲み物の容器を提供することができる。
【図面の簡単な説明】
【００１９】
【図１】本発明の実施形態に係る食べ物及び飲み物用容器の斜視図である。
【図２】食べ物及び飲み物用容器の分解図である。
【図３】メイン容器の拡大図である。
【図４】フードカップの拡大図である。
【図５】ドリンクカップの拡大図である。
【発明を実施するための形態】
【００２０】
本発明の上記及び他の目的並びに特徴は、以下の説明並びに添付の図面及び特許請求の範囲を考慮することで、より完全に明らかになるであろう。図面は、本発明の典型的な実施形態のみを描写しているが、本発明の範囲を限定するものとみなされるべきではなく、添付の図面は本発明を詳細に説明するのを助けるために追加されている。
【００２１】
以下、本発明の実施形態を参照して詳細を説明する。なお、特許請求の範囲は以下の実施形態に限定されず、本発明の様々な態様の理解は、最高の、その様々な例の議論を通じて得られる。
【００２２】
本実施形態の詳細な説明を以下に示す。
【００２３】
図１は、本発明の実施形態に係る食べ物及び飲み物用容器の斜視図である。図２は、食べ物及び飲み物用容器の分解図である。図２に示すように、食べ物及び飲み物用容器は、メイン容器１と、フードカップ２と、ドリンクカップ３との３部品により構成されている。メイン容器１とフードカップ２とドリンクカップ３とは、互いに着脱可能である。フードカップ２とドリンクカップ３とがメイン容器１に取り付けられている場合において、食べ物及び飲み物用容器は、フードカップ２及びドリンクカップ３のどちらもがメイン容器１から脱落しない１つのユニットとして、ユーザが片手で簡易に持ち運びできるよう構成されている。
【００２４】
図２及び図３に示すように、上部開口４と側方開口５が形成されたメイン容器１は、外観で円錐台形状をなしている。上部開口４は、メイン容器１の上部に形成され、側方開口５はメイン容器１の側方表面に形成されている。フードカップ２は、メイン容器１の上部から上部開口４に挿入され、ドリンクカップ３は側方から側方開口５に挿入される。
【００２５】
上部開口４は、フードカップ２を挿入可能な大きさを有している。メイン容器１は、フードカップ２をその上部にて保持する形状となっている。メイン容器１の上部にてフードカップ２を保持すべく、メイン容器１の内壁により内部空間は円錐台形状となっている。
【００２６】
側方開口５は、ドリンクカップ３を受け入れる形状となっている。具体的に側方開口５は、ドリンクカップ３が側方開口５に挿入された状態においてメイン容器１の内壁に当接する形状となっている。側方開口５の下端は、メイン容器１の底部よりも高い位置となる係合壁７が形成されている。係合壁７は、メイン容器１にドリンクカップ３が取り付けられてユーザが食べ物及び飲み物用容器を持ち運ぶ際に、ドリンクカップ３が脱落してしまうことを防止する。
【００２７】
なお、メイン容器１の形状は、円錐台形状に限られず、円柱形状や、三角柱及び四角柱などの多角柱などであってもよい。メイン容器１は、紙やプラスチックなどの素材から作られる。また、メイン容器１は、熱い食べ物やドリンクを収納するフードカップ２やドリンクカップ３を保持するため、断熱材から構成されることが望ましい。
【００２８】
また、図２及び図４に示すように、本実施形態においてフードカップ２は、異なるタイプの食べ物を納めるために第１区画８と第２区画９との２区画に分割されている。第１区画８と第２区画９とはリッジ部１０（フードカップの下壁を上方に盛り上げた部位）により接続され、フードカップ２が全体として円錐台形状となり、円錐台形状を為すメイン容器１にフィットするようになっている。例えば第１区画８はスープで満たされていてもよいし、パンが第２区画９に入れられていてもよい。また、第１区画８はカレーソースで満たされていてもよいし、ナンやライスが第２区画９に入れられていてもよい。さらには他の食べ物が第１及び第２区画８，９に入れられていてもよい。フードカップ２は熱い食べ物で満たすことができるように、断熱性を有する素材から作られている。
【００２９】
図２及び図５に示すように、ドリンクカップ３は取っ手１１を備えている。取っ手１１は、紙のような柔軟な材料から作られている。取っ手１１は、ドリンクカップ３の本体と同じ材料から作られていてもよい。ドリンクカップ３は、メイン容器１の下部にフィットするような形状を有している。この実施形態において、メイン容器１は円錐台形状となっているため、ドリンクカップ３も円錐台形状となっている。
【００３０】
前述の説明は、本件の食べ物及び飲み物用容器の例示的な実施形態を説明するためのものに過ぎない。また、前述の説明は、本発明の全てを余すことなく記載したもので無く、且つ、本発明は、開示された形状に限定されるものではない。さらに、本発明は、様々な変更を許容するものであり、本発明の範囲から逸脱することなく、均等の範囲内で各要素が置換されてもよいことは、当業者によって理解されるであろう。加えて、本発明は、特定の状況に適合するように、又は、本質的な範囲から逸脱することなく開示した材料について、様々な変更が可能である。さらに、本発明は、本発明を実施するために考えられる最良の形態として開示した特定の実施形態に限定されず、特許請求の範囲内に含まれる全ての実施形態を含むことが意図されている。発明を具体的に説明し、示されている以外にも、その精神及び範囲を逸脱することなく実施することができる。
【符号の説明】
【００３１】
１…メイン容器
２…フードカップ
３…ドリンクカップ
４…上部開口
５…側方開口
８…第１区画
９…第２区画
１０…リッジ部
１１…取っ手
【図１】
2014104346.tif 000003
【図２】
2014104346.tif 000004
【図３】
2014104346.tif 000005
【図４】
2014104346.tif 000006
【図５】
2014104346.tif 000007